(57)【要約】【課題】  ランプが寿命時期になった場合でも、フィラメント部が異常加熱せず、安全性を確保できる放電灯点灯装置を提供する。【解決手段】実施形態による放電灯点灯装置は整流回路２と補助直流電源３とインバータ部４とを含む。インバータ部４は、共振用コンデンサＣ３と共振用トランスＴ１を含む。共振用トランスＴ１の第１の２次巻線２８の両端は放電管５の一方のフィラメントＦ１に接続する第１及び第２接続端子３２ａ、３２ｂにそれぞれ接続され、第２の２次巻線２９は他方のフィラメントＦ２に接続する第３及び第４接続端子３２ｃ、３２ｄにそれぞれ接続される。共振用トランスＴ１の１次巻線を流れる共振電流はフィラメントを流れない。共振時、第１及び第２の２次巻線２８、２９に流れる誘起電流にて第１及び第２フィラメントＦ１、Ｆ２を加熱する。フィラメントは誘起電圧による定電圧駆動となり、抵抗値が大きくなっても異常発熱しない。【選択図】図１
2012003903.tif 000002
【特許請求の範囲】
【請求項１】
交流電源電圧を整流する整流回路と、前記整流回路に接続されて力率を改善する補助直流電源と、共振電流を発生して放電灯を点灯するインバータ部とを具備する放電灯点灯装置であって、
前記インバータ部は、
前記整流回路の負側出力端子間に直列接続された第１及び第２スイッチング素子と、
前記放電管の一方のフィラメント両端に接続される第１及び第２接続端子及び前記放電管の他方のフィラメント両端に接続される第３及び第４接続端子と、
一端が前記第１及び第２ダイオードの間及び前記第１接続端子に接続され、他端が前記第３接続端子に接続される共振用コンデンサと、
一端が前記第３接続端子に接続され、他端が前記第１及び第２スイッチング素子接続部に接続された１次巻線と、第１及び第２の２次巻線を有する共振用トランスとを具備し、
前記第１の２次巻線の両端は前記第１及び第２接続端子にそれぞれ接続され、前記第２の２次巻線は前記第３及び第４接続端子にそれぞれ接続され、前記第１及び第２の２次巻線に流れる誘起電流にて前記第１及び第２フィラメントを加熱することを特徴とする放電管点灯装置。
【請求項２】
前記第２及び第４接続端子間に接続されたＰＴＣバリスタを更に具備することを特徴とする請求項１記載の放電灯点灯装置。
【請求項３】
前記第２及び第４接続端子間に直列接続されたＰＴＣ及びバリスタを更に具備することを特徴とする請求項１記載の放電灯点灯装置。
【発明の詳細な説明】
【技術分野】
【０００１】
本発明の実施形態は蛍光灯などの放電灯を点灯する放電灯点灯装置に関する。
【背景技術】
【０００２】
インバータを用いた放電灯点灯装置は、インバータから出力される高周波電力を共振回路に接続された放電灯の負荷に供給し、放電灯を高周波点灯できるようになっている。図８は、このような放電灯点灯装置の従来回路構成の一例を示す。整流回路２は商用交流電源１の交流を直流に変換し、該直流電圧を補助直流電源３に供給する。補助直流電源３は整流回路２からの出力電圧の瞬時値が所定値より低い谷部の期間に、整流回路２に代わって負荷のインバータ部４に直流電圧を供給するものである。補助直流電源３はコンデンサ３３、ダイオ−ド３４およびコンデンサ３５の直列回路を整流回路２の出力端間に設けるとともに、コンデンサ３３の放電回路を形成するダイオ−ド３６をコンデンサ３３と直列に、また前記コンデンサ３５の放電回路を形成するダイオ−ド３７をコンデンサ３５と直列に、それぞれ設けたものである。
【０００３】
補助直流電源３の出力端には、コンデンサ３８、３９の直列回路が接続されると共に共振用スイッチング素子３０、３１の直列回路が接続される。コンデンサ３８、３９の接続部は放電灯５の一方のフィラメントＦ１の一端に接続される。共振用スイッチング素子３０、３１の接続部は、共振用インダクタ４０を介して放電灯５の他方のフィラメントＦ２の一端に接続される。また、フィラメントＦ１、Ｆ２の他端側には共振用コンデンサ７が接続されれる。
【０００４】
このような放電灯点灯回路では、共振用コンデンサ７に流れる電流により、点灯の前にフィラメントの始動前予熱を１〜２秒行い、電子の放出を容易としている。点灯中もフィラメントにはコンデンサ７により共振電流が流れるので、フィラメントの高温を保ち電子の放出を容易としている。また、フィラメントの高温を保つことで、電子がフィラメントに衝突する際のフィラメントの消耗・ダメージを抑えている。
【先行技術文献】
【特許文献】
【０００５】
【特許文献１】特許第３４００５９４号公報
【発明の概要】
【発明が解決しようとする課題】
【０００６】
図８のように、共振用インダクタと共振用コンデンサの直列接続に放電灯のフィラメントが含まれている場合、フィラメント部の抵抗値によらずほぼ一定の電流が流れる。図９（ａ）は、このような点灯回路においてフィラメントに流れる電流とその抵抗値の関係を示し、図９（ｂ）は抵抗値と消費電力の関係を示す。図９（ａ）に示すように、放電灯の長期にわたる使用により、フィラメント部の抵抗値が増加しても、ほぼ一定の電流が流れる。従って図９（ｂ）のように、抵抗値の増加と共にフィラメントで消費される電力は増大する。電力が増大するとフィラメント部が異常加熱して、蛍光灯のソケットが解ける等の現象が生じる恐れがある。
【０００７】
また、図８のような補助直流電源３の場合、入力電圧が補助直流電源の充電電圧以下になると、補助直流電源３の入力電流が流れなくなり、入力高調波成分が増加し、交流電源に接続された他の機器に対し、悪影響があるため、現在では規制されている。
【０００８】
本発明の主な目的は、ランプが寿命時期になった場合でも、フィラメント部が異常加熱せず、安全性を確保できる放電灯点灯装置を提供することにある。
【課題を解決するための手段】
【０００９】
放電灯のフィラメントの抵抗値が上がった場合でも電力が増加しないよう、共振用トランスの二次巻き線をフィラメントに接続し、二次巻き線に発生する誘起電流によりフィラメントの加熱を行う。
【００１０】
すなわち本発明の実施形態に係る放電灯点灯装置は、交流電源電圧を整流する整流回路と、補助直流電源と、共振電流を発生して放電灯を点灯するインバータ部とを具備する。
【００１１】
前記補助直流電源は、例えば第１及び第２電解コンデンサと該第１及び第２電解コンデンサの間に直列接続された同一通電方向の第１及び第２ダイオードとを含み、前記第２電解コンデンサ側端部は前記整流回路の負側出力端に接続された第１直列回路と、前記整流回路の正側出力端と前記第１直列回路の前記第１電解コンデンサ側端部間に接続された逆流阻止ダイオードと、前記整流回路の正負側出力端に直列接続され、前記第１及び第２電解コンデンサのそれぞれより容量が共に小さい第３及び第４コンデンサと、前記第１電解コンデンサと前記第１ダイオードの接続部と、前記整流回路の負側出力端に接続され、前記第１電解コンデンサに蓄積された電荷を放電するための第３ダイオードと、前記第２電解コンデンサと前記第２ダイオードの接続部と、前記逆流阻止ダイオードのカソード側に接続され、前記第２電解コンデンサに蓄積された電荷を放電するための第４ダイオードと、前記逆流阻止ダイオードのカソード側と前記整流回路の負側出力端に接続され前記第１及び第２電解コンデンサのそれぞれより容量が小さい第５コンデンサとを具備し、前記３及び第４コンデンサ間と前記第１及び第２ダイオード間は共に接続されている。
【００１２】
前記インバータ部は、前記整流回路の負側出力端子間に直列接続された第１及び第２スイッチング素子と、前記放電管の一方のフィラメント両端に接続される第１及び第２接続端子及び前記放電管の他方のフィラメント両端に接続される第３及び第４接続端子と、一端が前記第１及び第２ダイオードの間及び前記第１接続端子に接続され、他端が前記第３接続端子に接続される共振用コンデンサと、一端が前記第３接続端子に接続され、他端が前記第１及び第２スイッチング素子接続部に接続された１次巻線と、第１及び第２の２次巻線を有する共振用トランスとを具備し、前記第１の２次巻線の両端は前記第１及び第２接続端子にそれぞれ接続され、前記第２の２次巻線は前記第３及び第４接続端子にそれぞれ接続され、前記第１及び第２の２次巻線に流れる誘起電流にて前記第１及び第２フィラメントを加熱する。
【発明の効果】
【００１３】
フィラメントが寿命時期になった場合でも、フィラメント部が異常加熱せず、安全性を確保できる放電灯点灯装置が提供される。
【図面の簡単な説明】
【００１４】
【図１】本発明による放電灯点灯装置の第１実施例の回路構成を示す図である。
【図２】（ａ）〜（ｉ）は電源及び共振動作を説明するための図である。
【図３】（ａ）〜（ｄ）は整流回路２の出力電圧がピークと０ボルトの中心近傍において本回路に流れる電流を示す図である。
【図４】（ａ）はフィラメントに流れる電流とその抵抗値の関係を示し、（ｂ）は抵抗値と消費電力の関係を示す図である。
【図５】本発明による第２実施例の回路構成を示す図である。
【図６】ＰＴＣバリスタ４３を用いた時の共振の様子を示す図である。
【図７】本発明による第３実施例の回路構成を示す図である。
【図８】放電灯点灯装置の従来回路構成の一例を示す図である。
【図９】（ａ）は従来の点灯回路においてフィラメントに流れる電流とその抵抗値の関係を示し、（ｂ）は抵抗値と消費電力の関係を示す図である。
【発明を実施するための形態】
【００１５】
本発明の第１の実施形態は、交流電源電圧を整流する整流回路２と、前記整流回路に接続されて力率を改善する補助直流電源３と、共振電流を発生して放電灯を点灯するインバータ部４とを具備する放電灯点灯装置であって、
前記インバータ部４は、前記逆流阻止ダイオード１５のカソードと、前記整流回路２の負側出力端子間に直列接続された第１及び第２スイッチング素子Ｑ１、Ｑ２と、前記放電管５の一方のフィラメントＦ１両端に接続される第１及び第２接続端子３２ａ、３２ｂ、及び前記放電管５の他方のフィラメントＦ２両端に接続される第３及び第４接続端子３２ｃ、３２ｄと、一端が前記第１及び第２ダイオード２１、２２の間及び前記第１接続端子３２ａに接続され、他端が前記第３接続端子３２ｃに接続される共振用コンデンサＣ３と、一端が前記第３接続端子３２ｃに接続され、他端が前記第１及び第２スイッチング素子Ｑ１、Ｑ２接続部に接続された１次巻線２７と、第１及び第２の２次巻線２８、２９を有する共振用トランスＴ１とを具備する。前記第１の２次巻線２８の両端は前記第１及び第２接続端子３２ａ、３２ｂにそれぞれ接続され、前記第２の２次巻線２９は前記第３及び第４接続端子３２ｃ、３２ｄにそれぞれ接続され、前記第１及び第２の２次巻線２８、２９に流れる誘起電流にて前記第１及び第２フィラメントＦ１、Ｆ２を加熱する。
【００１６】
本発明の第２の実施形態に係る放電灯点灯装置は、上記構成に加え、前記第２及び第４接続端子３２ｂ、３２ｄ間に接続されたＰＴＣバリスタ４３を更に具備する。
【００１７】
本発明の第３の実施形態に係る放電灯点灯装置は、上記第１の実施形態に加え、前記第２及び第４接続端子３２ｂ、３２ｄ間に直列接続されたＰＴＣ４５及びバリスタ４４を更に具備する。
【００１８】
以下、本発明による放電灯点灯装置の実施例について、図面を参照して説明する。
【実施例１】
【００１９】
図１は、本発明による放電灯点灯装置の第１実施例の回路構成を示す図である。
【００２０】
この放電灯点灯装置は、整流回路２、補助直流電源３、インバータ部４から構成される。整流回路２は４つのダイオード１１〜１４によるダイオードブリッジからなり、商用交流電源１の電圧を整流する。
【００２１】
補助直流電源３は、第１及び第２電解コンデンサＣ６、Ｃ７と該第１及び第２電解コンデンサＣ６、Ｃ７の間に直列接続された同一通電方向（第１電解コンデンサＣ６から第２電解コンデンサＣ７の方向）の第１及び第２ダイオード２１、２２とを有する第１直列回路８と、前記整流回路の正負側出力端に接続され前記第１及び第２電解コンデンサのそれぞれより容量が共に小さい第３及び第４コンデンサＣ４、Ｃ５とを有する第２直列回路９と、この第１直列回路８に並列に接続されたコンデンサＣ１８と、ダイオード１５、２０、２３とを含み、コンデンサＣ４、Ｃ５間とダイオード２１、２２間は共に接続されている。
【００２２】
ダイオード１５は、整流回路２の正側出力端と第１直列回路８の第１電解コンデンサＣ６側端部に接続され、電解コンデンサＣ６側から整流回路２側への逆流電流を阻止する。ダイオード２０は、電解コンデンサＣ６とダイオード２１との接続部と、整流回路２の負側出力端の間に接続され、第１電解コンデンサＣ６の放電用である。ダイオード２３は、電解コンデンサＣ７とダイオード２２との接続部と、逆流阻止ダイオード１５のカソード側に接続され、電解コンデンサＣ７の放電用である。コンデンサＣ１８は、電解コンデンサＣ６、Ｃ７のそれぞれより容量が小さい。
【００２３】
次にインバータ部４の構成を説明する。
【００２４】
インバータ部４は、スイッチング素子Ｑ１、Ｑ２、該スイッチング素子Ｑ１、Ｑ２に逆電流方向で並列に接続されたダイオード１６、１７、放電灯のフィラメントＦ１、Ｆ２に接続する接続端子３２ａ〜３２ｄ、共振用コンデンサＣ３、共振用トランスＴ１を含む。
【００２５】
スイッチング素子Ｑ１、Ｑ２は、逆流阻止ダイオード１５のカソードと、整流回路２の負側出力端子間に直列接続される。共振用コンデンサＣ３は、一端がダイオード２１、２２の接続部及び放電灯５の第１接続端子３２ａに接続され、他端が接続端子３２ｃに接続される。
【００２６】
共振用トランスＴ１は１次巻線２７、２次巻線２８、２９を含む。１次巻線２７の一端は第３接続端子３２ｃに接続され、他端はスイッチング素子Ｑ１、Ｑ２の接続部接続される。第１の２次巻線２８の両端は接続端子３２ａ、３２ｂに接続され、第２の２次巻線２９の両端は接続端子３２ｃ、３２ｄに接続される。
【００２７】
次に本発明の実施形態に係る放電灯点灯装置の電源及び共振動作を説明する。尚、本願のフィラメント予熱動作は後述する。
【００２８】
図２（ａ）は、電源及び共振動作を説明するための基本回路構成図であり、図１の回路に対応するが、説明を簡単にするため図１に比べ、トランスＴ１の２次巻線側回路、フィラメント部等を省いて示している。
【００２９】
図２左側の図２（ｂ）〜２（ｅ）は、整流回路２の出力電圧が（山）の期間すなわちピーク近傍において本回路に流れる電流を順に示し、右側の図２（ｆ）〜２（ｉ）は、整流回路２の出力電圧が（谷）の期間すなわち０ボルト近傍において本回路に流れる電流を順に示す。各図においてそれぞれの動作に直接関係しない素子は省いて示してある。また、丸のＶ１またはＶ２は、各状態での電圧源を示す。
【００３０】
図２（ｂ）は、スイッチング素子Ｑ１がＯＮ、Ｑ２がＯＦＦの場合に流れる電流を示し、スイッチング素子Ｑ１は短絡線で示され、Ｑ２は省略されている。整流回路２の出力電圧がピーク近傍における図２（ｂ）において、電圧Ｖ１で示す電源電圧により、最初は実線１で示すように電流が流れる。図２（ｂ）下部に示すように、コンデンサＣ５が充電され、状態１→２で示すように、その端子電圧が一定値となると、点線矢印２で示すように電流が流れ電解コンデンサＣ７が充電される。
【００３１】
図２（ｃ）は、図２（ｂ）の後のスイッチング素子Ｑ１がＯＦＦ、Ｑ２がＯＦＦの場合に流れる電流を示し、スイッチング素子Ｑ１、Ｑ２は共に省略されている。整流回路２の出力電圧がピーク近傍における図２（ｃ）では、電圧Ｖ１に示すトランスＴ１の誘起電圧により電流は実線矢印２で示すように流れ、電解コンデンサＣ７が充電される。また電流は、別経路で点線矢印１のように流れる。
【００３２】
図２（ｄ）は、スイッチング素子Ｑ１がＯＦＦ、Ｑ２がＯＮの場合に流れる電流を示し、スイッチング素子Ｑ１は省略され、Ｑ２は短絡線で示されている。整流回路２の出力電圧がピーク近傍における図２（ｄ）において、最初は実線矢印１で示すように電流が流れる。図２（ｄ）下部に示す状態１→２のように、コンデンサＣ５が放電され、コンデンサＣ５とＣ６の端子電圧の和が入力電圧以下になると、点線矢印２で示すように電流が流れ電解コンデンサＣ６が充電される。
【００３３】
図２（ｅ）は図２（ｄ）の後に、スイッチング素子Ｑ１がＯＦＦ、Ｑ２がＯＦＦの場合に流れる電流を示し、スイッチング素子Ｑ１、Ｑ２は共に省略されている。整流回路２の出力電圧がピーク近傍における図２（ｅ）では、電圧Ｖ１に示すトランスＴ１の誘起電圧により電流は実線矢印で示すように流れ、電解コンデンサＣ６が充電される。
【００３４】
次に、整流回路２の出力電圧が０ボルト近傍で、スイッチング素子Ｑ１がＯＮ、Ｑ２がＯＦＦ状態の図２（ｆ）では、電圧Ｖ１に示すように、コンデンサＣ６、Ｃ７に充電された電荷が放電し、電流が実線矢印に示すように流れる。
【００３５】
整流回路２の出力電圧が０ボルト近傍で、スイッチング素子Ｑ１がＯＦＦ、Ｑ２がＯＦＦ状態の図２（ｇ）の場合、図２（ｃ）と同様に電流が流れ、コンデンサＣ７が充電される。
【００３６】
整流回路２の出力電圧が０ボルト近傍で、スイッチング素子Ｑ１がＯＦＦ、Ｑ２がＯＦＦ状態の図２（ｈ）では、図２（ｄ）と同様に電流は流れるが、電解コンデンサＣ６に充電電流は流れない。
【００３７】
整流回路２の出力電圧が０ボルト近傍でスイッチング素子Ｑ１がＯＦＦ、Ｑ２がＯＦＦ状態の図２（ｉ）では、図２（ｅ）と同様に電流が流れ、コンデンサＣ６が充電される
次に図３は、整流回路２の出力電圧が（中間）の期間すなわちピークと０ボルトの中心近傍において本回路に流れる電流を示す。図３（ａ）〜３（ｄ）と順に状態が移行する。
【００３８】
図３（ａ）は、スイッチング素子Ｑ１がＯＮ、Ｑ２がＯＦＦの場合に本回路に流れる電流を示している。スイッチング素子Ｑ１は短絡線で示され、Ｑ２は省略されている。この場合、電流は実線矢印のように流れコンデンサＣ５充電されると共に、点線矢印のように流れコンデンサＣ４が放電され、Ｃ５が充電される。
【００３９】
図３（ｂ）は、スイッチング素子Ｑ１がＯＦＦ、Ｑ２がＯＦＦの場合に本回路に流れる電流を示している。スイッチング素子Ｑ１、Ｑ２は開放状態で共に省略されている。この場合、電圧Ｖ１で示すトランスＴ１の誘起電圧により、電流は実線矢印で示されるように流れる。
【００４０】
図３（ｃ）は、スイッチング素子Ｑ１がＯＦＦ、Ｑ２がＯＮの場合に本回路に流れる電流を示している。スイッチング素子Ｑ１は開放状態で省略され、Ｑ２は短絡線で示されている。この場合、電圧Ｖ１で示すコンデンサＣ１に充電された電荷の電圧により、電流は先ず実線矢印１で示されるように流れ、図３（ｃ）下部に示すようにコンデンサＣ５の端子電圧が０ボルト付近になると、点線矢印２のように電流が流れコンデンサＣ４が充電される。このとき、電源（整流回路２）にも、入力電流が流れる。
【００４１】
図３（ｄ）は、図３（ｃ）の状態からスイッチング素子Ｑ１がＯＦＦ、Ｑ２がＯＦＦになった場合に、本回路に流れる電流を示している。スイッチング素子Ｑ１、Ｑ２は開放状態で共に省略されている。この場合、電圧Ｖ１で示すトランスＴ１の誘起電圧により、図３（ｂ）とは逆方向に電流が流れる。このとき、電源（整流回路２）にも入力電流が流れる。
【００４２】
このように本発明の実施例では、整流回路２の出力電圧がピークと０ボルト中心付近の期間においても、図３（ｃ）、３（ｄ）に示すように、従来例では流れない位相で入力電流が流れるようになるので、電源電流波形が正弦波に近くなり、その結果、高調波成分が減少する。
【００４３】
次に本発明の実施例に係る放電灯点灯装置のフィラメント予熱動作を説明する。
【００４４】
本実施例では、トランスの２次巻線側の誘起電圧により環状電流がフィラメント及び２次巻線に予熱（加熱）電流として流れるので、定電圧予熱となる。図４（ａ）は、本実施例の点灯回路においてフィラメントの抵抗値とその印加電圧の関係を示し、図４（ｂ）はフィラメントの抵抗値と消費電力の関係を示す。図４（ａ）から判るように、フィラメント部の抵抗値が増加しても、フィラメントに対する印加電圧（誘起電圧）は変わらない。従って図４（ｂ）のように、抵抗値が増加しても、フィラメントで消費される電力は少ない。
【００４５】
つまり、寿命時期となってフィラメント部の抵抗値が上昇しても消費電力は増加せず、フィラメントは異常高温とはならない。従って、放電管が寿命時期となった場合でも、フィラメント部が過熱し放電管のソケットが解ける、ガラス管が割れる、あるいは火災が発生するといった状態にはならない。
【実施例２】
【００４６】
次に、本発明による放電灯点灯装置の第２実施例を説明する。第２実施例は、放電灯の寿命を更に延ばすために始動（点灯）前予熱を行う構成を有する。
【００４７】
図５は、第２実施例の回路構成を示す図である。
【００４８】
本実施例に係る放電灯点灯装置は、図１の第１実施例に加え、ＰＴＣバリスタ４３が放電灯の接続端子３２ｂ、３２ｄ間に接続される。ＰＴＣバリスタ４３は、電流を流すと発熱する素子であって、所定温度（キューリー温度）までは低抵抗であるが、所定温度に達すると急激に抵抗値が増加する素子である。この所定温度はＰＴＣの設計により決定し、様々の温度のものから選択できる。
【００４９】
図６はＰＴＣバリスタ４３を用いた時のランプ両端電圧の様子を示す図であり、縦軸は放電管開放電圧（フィラメント間）電圧Ｖｄ、横軸は時間ｔである。点線はＰＴＣバリスタを用いない場合の共振特性を示す。
【００５０】
電源投入後、ＰＴＣバリスタの温度は低いので抵抗値は小さく、フィラメントＦ１、Ｆ２に流れる電流は比較的大きいので、フィラメントＦ１、Ｆ２は予熱される。このときＰＴＣバリスタの抵抗値は徐々に増加するので、コンデンサＣ３に流れる電流が増加し、放電管開放電圧Ｖｄの共振振幅も増加する。時刻ｔ１で放電灯は点灯し、放電管開放電圧Ｖｄは急激に減少する。このように、ＰＴＣバリスタのインピーダンスが変化することで、放電灯が点灯する前の開放電圧を徐々に上昇させ、放電灯が点灯するまでの問に予熱を十分に行う。
【００５１】
放電灯点灯前に適正にフィラメントを予熱することで、放電管のオン／オフ回数を増やす（寿命を延ばす）ことができる。尚、ＰＴＣバリスタを複数使用することで、この効果を増長することができる。
【実施例３】
【００５２】
次に上記第２実施例の変形例を第３実施例として説明する。
【００５３】
図７は第３実施例の回路構成を示す図である。
【００５４】
本実施例に係る放電灯点灯装置は、図５のＰＴＣバリスタ４３の代わりに、バリスタ４４及びＰＴＣ４５の直列回路を接続したものである。ＰＴＣのインピーダンスが変化することでランプが点灯する前の開放電圧を徐々に上昇させ、ランプが点灯するまでの間にフィラメントの予熱を行う。また点灯中はバリスタをオフさせ、ＰＴＣに電流が流れないようにするため、点灯中はＰＴＣの温度上昇やロスがない。
【００５５】
ランプ始動前に適正にフィラメントを予熱することで放電管のオン／オフ回数を増やす（寿命を延ばす）ことができる。
【００５６】
以上の説明はこの発明の実施の形態であって、この発明の装置及び方法を限定するものではなく、様々な変形例を容易に実施することができるものである。
【符号の説明】
【００５７】
１…商用交流電源、２…整流回路、３…、補助直流電源、４…インバータ部、５…放電灯、８…第１直列回路、９…第２直列回路、Ｃ３…共振用コンデンサ、Ｔ１…共振用トランス、Ｆ１、Ｆ２…フィラメント。
【図１】
2012003903.tif 000003
【図２】
2012003903.tif 000004
【図３】
2012003903.tif 000005
【図４】
2012003903.tif 000006
【図５】
2012003903.tif 000007
【図６】
2012003903.tif 000008
【図７】
2012003903.tif 000009
【図８】
2012003903.tif 000010
【図９】
2012003903.tif 000011